(57)【特許請求の範囲】
【請求項１】
ネット刃とトリマー刃とを備えた往復式電気かみそりであって、支持枠とこの支持枠に取り付けたネット外刃とを備える上記ネット刃は、その支持枠が保持枠に対して上下スライド自在に支持されるとともに上方に向けてばね付勢されることでフロート自在とされたものであり、上記トリマー刃はネット刃の上記支持枠に取り付けられてネット刃との位置関係が保たれた状態でネット刃と常に一体にフロートするものであるとともに、支持枠に対する上下スライドによってネット刃の刃部の近傍に刃部を位置させた状態とネット刃の刃部よりも下方に刃部を位置させた状態との間を切換自在となっていることを特徴とする往復式電気かみそり。
【請求項２】
トリマー刃はその刃部をネット刃の刃部の近傍に位置させた状態において動力伝達部材と係合し且つその刃部をネット刃の刃部よりも下方に位置させた状態において動力伝達部材と切り離されるものであることを特徴とする請求項１記載の往復式電気かみそり。
【請求項３】
トリマー刃の表面には、該トリマー刃を保持しているネット刃のフロート動作についてのロック手段のための操作部が設けられていることを特徴とする請求項１または２記載の往復式電気かみそり。
【請求項４】
トリマー刃はその刃部をネット刃の刃部の近傍に位置させた状態において上下位置を調整自在としているものであることを特徴とする請求項１〜３のいずれか１項に記載の往復式電気かみそり。
【請求項５】
トリマー刃の固定刃は略直角に曲げられて外側に向けられた刃先を有しており、該刃先部と略直角をなしている部分がネット刃の支持枠に保持されていることを特徴とする請求項１〜４のいずれか１項に記載の往復式電気かみそり。
【請求項６】
トリマー刃はその刃部をネット刃の刃部の近傍に位置させた状態においてその刃先をネット刃の刃部とほぼ同じ高さに位置させるものであることを特徴とする請求項１〜５のいずれか１項に記載の往復式電気かみそり。
【請求項７】
ネット刃の支持枠におけるトリマー刃を上下スライド自在に保持する保持面がネット刃の上下フロート方向に対して傾いた傾斜面として形成されて、トリマー刃はその上動で刃部をネット刃に接近させるものであることを特徴とする請求項１〜６のいずれか１項に記載の往復式電気かみそり。
【請求項８】
外面が切り換え用の操作部となっているトリマー刃は電気かみそり本体における電源操作用のスイッチハンドルが配された面と同じ面に配設されていることを特徴とする請求項１〜７のいずれか１項に記載の往復式電気かみそり。
【請求項９】
トリマー刃はネット刃の両面に夫々設けられていることを特徴とする請求項１〜８のいずれか１項に記載の往復式電気かみそり。
【請求項１０】
トリマー刃の外側に肌伸ばし部材が配設されているとともに、上記肌伸ばし部材はその上縁に備えた肌伸ばし部がトリマー刃の刃先よりも上方に位置する状態とトリマー刃の刃先よりも下方に位置する状態との間でトリマー刃に対して上下スライド自在に取り付けられたものであることを特徴とする請求項１〜９のいずれか１項に記載の往復式電気かみそり。
【請求項１１】
トリマー刃はその刃部をネット刃の刃部よりも下方に位置させた状態において刃先側に向けて突出し且つ上記刃部をネット刃の刃部の近傍に位置させた状態において後退して刃先を露出させる部材を備えていることを特徴とする請求項１〜１０のいずれか１項に記載の往復式電気かみそり。
【請求項１２】
トリマー刃はネット刃の支持枠に対して上下反転自在に取り付けられていることを特徴とする請求項１〜９のいずれか１項に記載の往復式電気かみそり。
【請求項１３】
トリマー刃は刃先が設けられた縁と上下逆の縁に肌伸ばし部材を備えていることを特徴とする請求項１２記載の往復式電気かみそり。
【発明の詳細な説明】
【０００１】
【発明の属する技術分野】
本発明はネット刃とトリマー刃とを備えている往復式電気かみそり、殊にトリマー刃の支持構造及び駆動構造に関するものである。
【０００２】
【従来の技術】
剃り残しなく早剃りするために、ネット刃とトリマー刃を同時に肌に当てて髭を剃ることができるようにしたものがある。また、肌当たり感の向上を目的として、ネット刃及びトリマー刃をフロート構造（ばね付勢に抗して押し沈めることができるもの）としたものも提供されている。
【０００３】
トリマー刃をフロート構造としたものとしては、特開平６−９１０６７号公報に示されたものがある。これは電気かみそりの本体背面に上下スライド自在に且つ上端位置と下端位置とでクリックによって位置決め可能に取り付けたトリマー刃を位置決めのクリック部で自由度をもたせることによってフロート可能としている。
【０００４】
また、特開平８−１４１２２７号公報には外刃フレームの中にトリマー刃をフロート自在に配設して、トリマー刃が一定量沈めばネット刃も連動して沈むようにしたものが示されている。
【０００５】
【発明が解決しようとする課題】
しかし、前者の電気かみそりは、トリマー刃が本体に取り付けられているために、トリマー刃をその刃部がネット刃の刃部の近傍に位置する上側位置に切り換えた時、ネット刃との間に隙間があいてしまい、剃り時において肌がその隙間に入り込んでスムーズな肌当たりを得られない。また、この公報に記載のものでは、クリック部の摩擦力が働くために、トリマー刃のフロートが固く、ネット刃との一体感のある動きを得ることができない。
【０００６】
また後者においては、ネット刃とトリマー刃とは個別にフロート自在に支持されているために、それぞれに上向きの付勢力が与えられたものとなっており、このためにトリマー刃とネット刃の両方を同時に肌に押し当てて沈める場合、両方の付勢力に抗して沈めることになり、フロートが固くてゴツゴツした感触が生ずるものとなっている。
【０００７】
また、トリマー刃はネット刃における外刃枠の中にあって、外刃枠がトリマー刃の外面を覆っているために、肌に対して斜めに当てた時、外刃枠の上縁部が肌に当たってしまって肌に刃を適正に当てることができないだけでなく、不快な肌当たり感を与えてしまう。また、トリマー刃を常時駆動するものとなっているために、トリマー刃を使わないときには無駄な電流を消費してしまう。これは電池電源のものでは問題がある。
【０００８】
さらに、どちらの例においても、トリマー刃に許された動きはフロートのための上下動のみであり、左右には傾かないものとなっている。従って、左右に傾くことも可能なフロート構造となっているネット刃と組合せた場合、肌に対して刃が浮いた状態となって、剃り残しが発生してしまうとともに、トリマー刃が部分的に肌に当たるために肌当たりが悪くなってしまう。
【０００９】
トリマー刃で左右に傾きを持たせることができるものとしては、特開平６−９１０６８号公報に示されたものがあるが、ここではトリマー刃の保持部にがたつきを持たせることで左右の傾きを許しているだけであるために、駆動時の騒音、振動が大きく、フロート構造でないことから肌当たりも悪い。
【００１０】
本発明はこのような点に鑑みなされたものであって、その主たる目的とするところはネット刃とトリマー刃とが協動して髭剃りをスピーディに且つ肌当たり感良く行うことができる往復式電気かみそりを提供するにある。
【００１１】
【課題を解決するための手段】
しかして本発明は、ネット刃とトリマー刃とを備えた往復式電気かみそりであって、支持枠とこの支持枠に取り付けたネット外刃とを備える上記ネット刃は、その支持枠が保持枠に対して上下スライド自在に支持されるとともに上方に向けてばね付勢されることでフロート自在とされたものであり、上記トリマー刃はネット刃の上記支持枠に取り付けられてネット刃との位置関係が保たれた状態でネット刃と常に一体にフロートするものであるとともに、支持枠に対する上下スライドによってネット刃の刃部の近傍に刃部を位置させた状態とネット刃の刃部よりも下方に刃部を位置させた状態との間を切換自在となっていることに特徴を有している。フロート自在となっているネット刃にトリマー刃を取り付けることにより、ネット刃が上下方向だけでなく左右の傾きも許されたフロートを行うものにおいても、ネット刃とトリマー刃とが一体的にフロートするようにしたものである。
【００１２】
ここにおけるトリマー刃は、その刃部をネット刃の刃部の近傍に位置させた状態において動力伝達部材と係合し且つその刃部をネット刃の刃部よりも下方に位置させた状態において動力伝達部材と切り離されるものであることが好ましい。
【００１３】
また、トリマー刃の表面には、該トリマー刃を保持しているネット刃のフロート動作についてのロック手段のための操作部を設けておくとよく、トリマー刃の刃部をネット刃の刃部の近傍に位置させた状態において上下位置を調整自在としているものであることも好ましい。
【００１４】
トリマー刃は、その固定刃が略直角に曲げられて外側に向けられた刃先を有しており、該刃先部と略直角をなしている部分がネット刃の支持枠に保持されたものとなっているとよい。
【００１５】
また、トリマー刃はその刃部をネット刃の刃部の近傍に位置させた状態においてその刃先をネット刃の刃部とほぼ同じ高さに位置させるものや、ネット刃の支持枠におけるトリマー刃を上下スライド自在に保持する保持面がネット刃の上下フロート方向に対して傾いた傾斜面として形成されて、トリマー刃はその上動で刃部をネット刃に接近させるもの、外面が切り換え用の操作部となっているトリマー刃が電気かみそり本体における電源操作用のスイッチハンドルが配された面と同じ面に配設されているもの、トリマー刃がネット刃の両面に夫々設けられているものが好ましい。
【００１６】
トリマー刃の外側に肌伸ばし部材が配設されているとともに、上記肌伸ばし部材はその上縁に備えた肌伸ばし部がトリマー刃の刃先よりも上方に位置する状態とトリマー刃の刃先よりも下方に位置する状態との間でトリマー刃に対して上下スライド自在に取り付けられたものや、トリマー刃の刃部をネット刃の刃部よりも下方に位置させた状態において刃先側に向けて突出し且つ上記刃部をネット刃の刃部の近傍に位置させた状態において後退して刃先を露出させる部材をトリマー刃が備えているものも好ましい。
【００１７】
さらに、トリマー刃がネット刃の支持枠に対して上下反転自在に取り付けられていてもよく、この場合、刃先が設けられた縁と上下逆の縁に肌伸ばし部材を設けておくとよい。
【００１８】
【発明の実施の形態】
以下本発明を実施の形態の一例に基づいて詳述すると、図２及び図３に示す電気かみそりは、平行に並ぶ２つのネット刃１，１と、両ネット刃１，１間に位置するスリット刃２と、片側のネット刃１の外側に位置するトリマー刃３の総計４つの刃を電気かみそりの本体５の上端に配したもので、本体５のハウジング５０内には、モータ５１と蓄電池５９とが納められており、本体５の前面には図５にも示すようにスイッチハンドル５５が配設されている。
【００１９】
上記モータ５１は、振動型リニアアクチュエータであって、往復振動を行う２つの出力部５４，５４を備えており、これら出力部５４，５４にはネット刃１における内刃１８，１８が夫々押し上げばね１９，１９によって上方へ付勢された状態で取り付けられる。上記押し上げばね１９は、ネット刃１におけるネット外刃１０と内刃１８との接触圧の設定用である。また、片方の出力部５４にはトリマー駆動子３９が取り付けられ、他方の出力部５４にはスリット刃用駆動子２９が取り付けられる。
【００２０】
前記４つの刃のうち、２つのネット刃１，１とスリット刃２とが保持枠６とともに主刃ブロックＡ（図４参照）を構成して、本体５のハウジング５０にはハウジング５０の上端の結合フレーム部５７を介して着脱自在に取り付けられる。トリマー刃３は上記主刃ブロックＡの側面に取り付けられる。
【００２１】
主刃ブロックＡにおける各ネット刃１（内刃１８を除く）は、図８に示すように、ネット外刃１０と外刃枠１１と支持枠１２とからなるもので、ネット外刃１０は曲げられた状態で外刃枠１１にヒートシール固定される。また、外刃枠１１は支持枠１２に下側から挿入固定することで、支持枠１２に一体化される。
【００２２】
スリット刃２は図７に示すように、スリット外刃２０とスリット内刃２１、スリット内刃２１がヒートシール固定されている継手２２、そしてスリット外刃２０の長手方向両端に位置してスリット外刃２０がヒートシール固定されている一対の支持体２３とからなるもので、スリット内刃２１は支持体２３の上面と継手２２の下面との間に配設される押上げばね２４による付勢でスリット外刃２０内面に接する。図中２０１，２３１はヒートシール固定部、２２２，２３２は押上げばね２４用のばね受けである。
【００２３】
上記ネット刃１の保持枠６への装着は、支持枠１２を保持枠６に被せるとともに支持枠１２の両端に夫々設けた係合片１２１を保持枠６に設けたスリット６１内に上下スライド自在に差し込むことで行う。このとき、保持枠６における上記スリット６１の上端にあるフック６２は係合片１２１の上方の縦長孔１２２に位置し、支持枠１２の突部１２３は保持枠６のスリット６１近傍部分の両面に接する。フック６２によって抜け止めがなされた状態で上下動自在に保持されたネット刃１は、保持枠６におけるフロート用ばね片６３が外刃枠１１の側方突出部１１３の下面に接することでフロート用ばね片６３によって上方にばね付勢される。従って、保持枠６に対してネット刃１はフロート自在となっている。ここで、支持枠１２の内寸は保持枠６の外寸より大き目に設定してあり、後述の左右の傾きも許すものとしてある。
【００２４】
保持枠６の幅方向中央部に上下動自在に配設されるスリット刃２は、支持体２３の係止部２３３を保持枠６のフック６４に係合させることで抜け止めがなされるとともに、保持枠６のばね受け６５と支持体２３のばね受け２３４との間に配設されたフロートばね２５（図９参照）によって上方へばね付勢されてフロート自在となっているもので、係止部２３３が保持枠６内面の縦溝６６内を上下にスライドし、支持体２３の外側に位置するカバー片２３６のところに設けた縦リブ２３５が保持枠６外面の縦溝６７内をスライドすることで、スリット刃２の上下動についてのスライドガイドを行う。スリット刃２の可動刃２１への往復振動の伝達は、継手２２の下端が前述のスリット刃用駆動子２９と係合することによって行われる。
【００２５】
トリマー刃３は、図６に示すように櫛状の刃先が約９０°曲げられて設けられている固定刃３０と、同じく櫛状の刃先を備えた可動刃３１と、可動刃３１を固定刃３０に押し付ける押し上げばね３２、トリマー基台３３、トリマーカバー３４、トリマー継手３５等からなるもので、固定刃３０はその刃先部に溝穴３０１とヒートシール穴３０２を備えており、ヒートシール穴３０２にはトリマーカバー３４の下面のヒートシールボス３４２がヒートシールされて固定刃３０にトリマーカバー３４が一体に固定される。またトリマーカバー３４の取付フック３４１と固定刃３０の中央部に設けた固定溝３０３が結合して、中央部での浮きが防止される。上記溝穴３０１はトリマーカバー３４の下面のガイドボス３４３と係合する。
【００２６】
固定刃３０の上記刃先部を除いた部分である保持部には、ガイド溝３０４とスライドフック３０５、軸孔部３０６、結合孔３０７が設けられている。上記ガイド溝３０４は、片方のネット刃１の支持枠１２外面に形成されたガイドフック１２４と係合して、支持枠１２に対する上下スライドのガイドを行う。また、スライドフック３０５は、支持枠１２のの外面に上下２段で設けられたスライド係止リブ１２５と係合することにより、トリマー刃３が上下スライドする際に、上死点と下死点とでのがたつきを防ぐ。
【００２７】
トリマー基台３３は、固定刃３０との間に、前述の可動刃３１と押し上げばね３２とばね保持枠３６ならびにトリマー継手３５とロック釦３７を挟み込んだ状態で固定刃３０と結合される。この結合は、トリマー基台３３の裏面に設けた取付ボス３３１を固定刃３０の結合孔３０７に挿通してヒートシールすることで行われる。また、トリマ一基台３３の裏面に設けたリンクボス３３２は、トリマー継手３５の軸孔３５１を貫通し、固定刃３０の軸孔部３０６に抜ける。トリマー基台３３の裏面下側に２つ設けたガイド溝止めボス３３３は、固定刃３０と結合した状態において、固定刃３０のガイド溝３０４の下側を閉じて抜け止めを行う。
【００２８】
上記リンクボス３３２によって回転自在に支持されたトリマー継手３５は、その上端の駆動ボス３５３を可動刃３１の駆動穴３１１と係合する。トリマー継手３５の下端の結合ボス３５２は、前述のトリマー駆動子３９に係合する。トリマー駆動子５４に結合ボス３５２が係合している状態では、出力部５４及びトリマー駆動子３９の往復振動がトリマー継手３５を介して可動刃３１に伝達される。
【００２９】
上述のように、トリマー刃３は主刃ブロックＡの一方のネット刃１に上下にスライド自在に取り付けられているわけであるが、図１及び図１２(b)にトリマー刃３を上動させた状態を、図１０及び図１２(a)にトリマー刃３を下げた状態を示す。トリマー刃３を下げた状態では、トリマー継手３５がトリマー駆動子３９と係合していないために、モータ５１を作動させてもトリマー刃３は作動しない。また、主刃ブロックＡにおける２つのネット刃１，１とスリット刃２のみで髭を剃る場合において、トリマー刃３の刃先が肌に当たることがないように、トリマー刃３は相当量下側に位置した状態で保持される。
【００３０】
トリマー刃３を上げた状態では、図１に示すようにトリマー刃３の刃先がネット刃１とほぼ同じ高さにくるとともに、トリマー継手３５がトリマー駆動子３９と係合するために、可動刃３１の往復駆動がなされる。また、ネット刃１の支持枠１２のトリマー刃３の取付面は、下側が外側に広がった傾斜面としてあってトリマー刃３を上動させれば、トリマー刃３の上端刃部はネット刃１の刃部に接近するために、トリマー刃３とネット刃１を両方同時に使って剃る場合においても、肌のたるみや落ち込みを防止でき、肌当たりの良いスムーズな剃り味を出すことができる。
【００３１】
そして、トリマー刃３は片側のネット刃１に取り付けられて、該ネット刃１と一体にフロート自在となっており、肌に押し付けた時には同時に沈み込むものである。
【００３２】
ところで、トリマー刃３をネット刃１に対して上下にスライドさせて上下位置を切り換える時、特にトリマー刃３を下げる時、ネット刃１も追従して動いてしまってはトリマー刃３の上下動操作がしにくくなる。このために、ここではトリマー基台３３に設けたロック釦３７を押し込めば、図１１に示すように、ロック釦３７の先端の押付ボス３７０が支持枠１２の下側に設けた弾性フック部１２６を押し込んでその下端内側を保持枠６の前面に設けたロックボス６８に乗り上げさせ、ネット刃１のフロートをロックすることができるようにしてある。従って、トリマー刃３を下げる操作において、トリマー刃３を支えている支持枠１２が下がることがないものであり、このために無駄な動きが生じることなく、トリマー刃３の上下動操作を行うことができる。
【００３３】
また、トリマー刃３は、本体５のスイッチハンドル５５の配設面と同じ面に配置している。スイッチハンドル５５の操作とトリマー刃３の上下動操作とを一連の操作として同じ指で行うことができるようにしているものであり、また本体５を持ち替えずにトリマー刃３によるもみ上げ揃えを行うことができるようにしたものである。
【００３４】
そして、この電気かみそりでは、ネット刃１は上下にフロートするだけでなく、図１３に示すように、左右の傾きもフロート用ばね片６３の付勢下において自在となっているのであるが、ネット刃１にトリマー刃３を取り付けているために、ネット刃１が傾く時、トリマー刃３も傾くものであって、ネット刃１がどんな向きにフロートした場合においてもネット刃１とトリマー刃３との相対的位置関係は変化しない。従って、肌への追従性も良く、ネット刃１を押し付けた肌に対して、常に安定した接触状態でトリマー刃３も接触するものであり、トリマー刃３が肌に強く食い込んで刺激を生じたり、逆に、肌との間に隙間が生じて剃り残しが多くなったりすることがないものである。
【００３５】
図１４に他例を示す。これはネット刃１に対するトリマー刃３の上下位置を複数段階で調整できるようにしたもので、ここでは、支持枠１２に設けられている上側のスライド係止ボス１２５’を上下に長くしてその範囲内で微妙な凹凸を付けている。トリマー刃３を上動させた時、その高さを微妙に調整することができるものであり、ネット刃１との位置関係をユーザの好みや剃り部位に合わせた最適な位置を選ぶことができるものである。
【００３６】
図１５〜図１７は、２つのネット刃１，１の各外面側に夫々トリマー刃３，３を設けたものを示している。基本的構造は、前述のものと同じであるが、図中背面側のトリマー刃３への動力伝達のために、スリット刃用駆動子２９が取り付けられる一方の出力部５４にトリマー駆動子３９も取り付けている。前後にトリマー刃３，３を配した図示例のものでは、前後どちらから剃る場合においても同じ剃り性能を得ることができるために、向きを気にして持ち替えたりすることなく、早剃りができる。
【００３７】
図１８〜図２０に示したものは、トリマー刃３の外面に肌伸ばし用フィン７０を上縁に備えた肌伸ばし部材７を上下スライド自在に設けたもので、長手方向両端に設けたフック部７１をトリマー基台３３の側面の長穴３３５に係合させることで上下動自在に保持されている。またトリマー基台３３の長穴３３５の側部の上下２ヶ所に位置決め溝３３６を設けて、肌伸ばし部材７の位置決めを行えるようにしている。
【００３８】
図１９に示すようにトリマー刃３が下側にあり且つ肌伸ばし部材７が下側にある状態から、肌伸ばし部材７を上方へスライドさせれば、図２０に示すように、肌伸ばし部材７はトリマー刃３の刃先部を覆ってトリマー刃３の刃先が肌に当たることを防ぐとともに、肌伸ばし部材７のフィン７０が肌を伸ばして髭を起こすことにより、髭をより短く剃ることを可能とする。また、不使用時のトリマー刃３が肌と接触することを防止できるために、トリマー刃３の上下スライド量を小さくすることができ、トリマー刃３や支持枠１２をコンパクトにすることが可能となる。
【００３９】
図２１〜２４に別の例を示す。これはトリマー刃３におけるトリマ一基台３３と固定刃３０の前後相対位置を変化させることができるようにしたもので、固定刃３０とトリマー基台３３とは、下側ではトリマー基台３３の取付ボス３３１と固定刃３０の結合穴３０７がヒートシール結合し、上側では、固定刃３０の結合アーム３０９がトリマー基台３３の結合溝３３７に係合して、前後移動自在に結合する。また、押し上げばね３２には、可動刃３１を押し上げるばね部３２１以外に、前後ばね部３２２が設けられており、トリマー基台３３を固定刃３０から離れさせる方向の力を働かせる。このために、トリマー基台３３と固定刃３０とは下部を軸として、上側が開く相対回転移動が可能となっている。なお、トリマー継手３５と固定刃３０の相対位置関係を保つために、リンクボス３３２は固定刃３０側に形成している。そして、固定刃３０は支持枠１２のガイドフック１２４に係合、トリマ一基台３３は支持枠１２のガイド溝１２８に係合する。ガイド溝１２８は支持枠１２のトリマー刃３取付面に対し、上側にいくほど近接するように、相対的に傾斜させてある。
【００４０】
従って、トリマー刃３を下げている時には、図２３に示すように、トリマー基台３３の上部が固定刃３０から離間して、固定刃３０の刃先が肌に直接触れるのを防止する。また、トリマー刃３を上動させた時には、図２４に示すように、トリマ一基台３３の上部が固定刃３０に接近して固定刃３０の刃先を露出させる。この場合においても、不使用時のトリマー刃３の刃先が肌と接触することを防止できるために、トリマー刃３の上下スライド量を小さくすることができ、トリマー刃３や支持枠１２をコンパクトにすることができる。
【００４１】
図２５〜図２８に示すものは、トリマー刃３を上下反転させることで、トリマー刃３の下縁に設けた肌伸ばし部材７を上側に位置させることができるようにしたものである。ここでは支持枠１２に設けたボス９０が固定刃３の軸孔部３０６とトリマー継手３５の軸孔３５１とトリマー基台３３の長穴９１及び回転ばね９２を貫通し、その先端にねじ９３でワッシャー９４が取り付けられる。図中９５はフック部９５１がトリマー基台３３のカバー係合穴９６と結合することでトリマー基台３３に取り付けられてねじ９３を覆うねじカバーである。
【００４２】
固定刃３０の軸孔部３０６は筒状に形成されていて、その外周面でトリマー継手３５の回転支持を行う。軸孔部３０６の内径は、ボス９０に対してトリマー刃３の上下スライドを許す大きさのものとなっている。
【００４３】
そして、トリマー基台３３の下縁にはエラストマーで形成した肌伸ばし部材７を設けており、ボス９０を中心にトリマー刃３全体を１８０°回転させて上下を反転させることで、肌伸ばし部材７を最適位置にセットすることができるようにしてある。
【００４４】
図２７(a)は刃先が上側になっているトリマー刃３を下げた位置にセットした状態を示しており、この状態からトリマー刃３を上動させれば、図２７(b)に示すトリマー刃３の使用が可能な状態となる。
【００４５】
そして図２７(a)に示した状態から、トリマー刃３を１８０°回転させれば、図２８に示すようにネット刃１の刃部とほぼ同じ高さに肌伸ばし部材７が位置し、肌伸ばしとして使用可能となる。この時、トリマー刃３の刃先は相当下方に位置することになるため、肌に当たって肌を傷つけたりすることがない。なお、トリマー刃３を上動させた状態においては、トリマー継手３５がトリマー駆動子３９に係合しているために、トリマー刃３を回転させることはできない。
【００４６】
図中９７は回転操作用リブである。また、支持枠１２には図２０及び図２１に示す３状態に対応した回転フック係合穴９８を設けてあり、固定刃３０の下側に設けた回転フック９９先端の背方側に突出する突起部が回転フック係合穴９８に係合して位置決めを行う。
【００４７】
【発明の効果】
以上のように本発明においては、支持枠とこの支持枠に取り付けたネット外刃とを備えるネット刃は、その支持枠が保持枠に対して上下スライド自在に支持されるとともに上方に向けてばね付勢されることでフロート自在とされたものであり、上記トリマー刃はネット刃の上記支持枠に取り付けられてネット刃との位置関係が保たれた状態でネット刃と常に一体にフロートするものであるために、ネット刃が上下方向だけでなく左右の傾きも許されたフロートを行うものにおいても、ネット刃とフロート刃とが一体的にフロートする。従って、トリマー刃とネット刃とが共に肌に当たった状態を良好に維持できるものであり、またネット刃の支持枠にトリマー刃を取り付けていることからネット刃の刃部の近傍にトリマー刃の刃部を位置させるにあたって両者の間が離れてしまうようなこともないために、肌当たりが良く、剃り残しも少なくすることができる。しかも、トリマー刃は支持枠に対する上下スライドによってネット刃の刃部の近傍に刃部を位置させた状態とネット刃の刃部よりも下方に刃部を位置させた状態との間を切換自在となっているために、トリマー刃をネット刃の刃部より下方に位置させた状態とすることで、ネット刃単独での使用も問題なく行うことができる。
【００４８】
そして、トリマー刃はその刃部をネット刃の刃部の近傍に位置させた状態において動力伝達部材と係合し且つその刃部をネット刃の刃部よりも下方に位置させた状態において動力伝達部材と切り離されるようにしておけば、無駄な負荷電流を消費しないため電池が長持ちすることになる。
【００４９】
また、トリマー刃の表面に、該トリマー刃を保持しているネット刃のフロート動作についてのロック手段のための操作部を設けておくことで、フロート自在なネット刃にトリマー刃を取り付けているにもかかわらず、トリマー刃の刃部の位置の切り換え操作を必要最低限の操作量で行うことができる。
【００５０】
そして、トリマー刃をネット刃の刃部の近傍にその刃部を位置させた状態において上下位置を調整自在としているものでは、ネット刃との同時剃りを行う上において、トリマー刃と肌との接触状態を使用者の好みや剃り部位に合った最適状態にセットすることができるものとなる。
【００５１】
トリマー刃は、その固定刃が略直角に曲げられて外側に向けられた刃先を有しており、該刃先部と略直角をなしている部分がネット刃の支持枠に保持されたものとなっていると、トリマー刃の刃先部分の厚みを小さくすることができ、ネット刃との距離を小さくすることもできるため、トリマー刃とネット刃を両方同時に使って剃る場合においても、肌のたるみ、落ち込みが防止でき、肌当たりの良いスムーズな剃り味を出すことができる。
【００５２】
また、トリマー刃はその刃部をネット刃の刃部の近傍に位置させた状態においてその刃先をネット刃の刃部とほぼ同じ高さに位置させるものとしておくと、ネット刃によって肌との位置関係が固定されるために、トリマー刃が肌から浮いたり、逆にトリマー刃の刃先が肌に食い込んだりする状態が生じるのを防ぐことができ、剃り残しがなく、肌当たりのよい剃り性能を得ることができる。
【００５３】
ネット刃の支持枠におけるトリマー刃を上下スライド自在に保持する保持面をネット刃の上下フロート方向に対して傾いた傾斜面として形成して、トリマー刃がその上動で刃部をネット刃に接近するようにしておけば、ネット刃との距離をさらに小さくすることができる。
【００５４】
また、外面が切り換え用の操作部となっているトリマー刃を電気かみそり本体における電源操作用のスイッチハンドルが配された面と同じ面に配設しておけば、トリマー刃の移動操作とスイッチ操作とが本体の持ち替えを必要とすることなく指の移動だけで行うことができて、操作しやすいものとなる。また、トリマー刃によってもみあげを揃える時においても、手を捻ったり、本体を持ち替えたりせずに楽に剃ることができる。
【００５５】
そして、トリマー刃をネット刃の両面に夫々設けておけば、前後どちら向きに剃る場合においてもトリマー刃とネット刃の同時剃りが可能となり、より早く、より剃り残しなく剃り上げることができる。
【００５６】
トリマー刃の外側に肌伸ばし部材が配設されているとともに、上記肌伸ばし部材はその上縁に備えた肌伸ばし部がトリマー刃の刃先よりも上方に位置する状態とトリマー刃の刃先よりも下方に位置する状態との間でトリマー刃に対して上下スライド自在に取り付けてもよい。トリマー刃を使わない場合においては肌伸ばしとして機能させることができ、より短く剃ることが可能となる。
【００５７】
トリマー刃がその刃部をネット刃の刃部よりも下方に位置させた状態において刃先側に向けて突出し且つ上記刃部をネット刃の刃部の近傍に位置させた状態において後退して刃先を露出させる部材を備えているものとしておけば、トリマー刃を使わない状態においてはトリマー刃の刃先の露出を少なく、あるいは無くすことができ、刃先が肌に当たって肌を痛めたりすることを防ぐことができるものであり、またトリマー刃の上下スライド量を少なくしても問題が生じないために、構造をコンパクトにできる。
【００５８】
さらに、トリマー刃をネット刃の支持枠に対して上下反転自在に取り付ければ、完全に肌がトリマー刃の刃先に当たらないようにすることができる。しかも、刃先が設けられた縁と上下逆の縁に肌伸ばし部材を設けておくと、上記反転によってトリマー刃を肌伸ばし部材として用いて、より短く剃ることが可能となる。
【図面の簡単な説明】
【図１】  本発明の実施の形態の一例の要部断面図である。
【図２】  同上の断面図である。
【図３】  同上の正面図である。
【図４】  同上の主刃ブロックとトリマー刃の分解斜視図である。
【図５】  同上の本体部分の分解斜視図である。
【図６】  同上のトリマー刃の分解斜視図である。
【図７】  同上のスリット刃の分解斜視図である。
【図８】  同上のネット刃の分解斜視図である。
【図９】  同上の保持枠の斜視図である。
【図１０】  同上のトリマー刃を下げた状態の要部断面図である。
【図１１】  同上のトリマー刃の上下操作のためにネット刃のフロートをロックした状態を示す要部断面図である。
【図１２】  (a)(b)は同上のトリマー刃の上下スライド動作を示す部分正面図である。
【図１３】  (a)(b)は同上のトリマー刃のネット刃と一体のフロート動作を示す部分正面図である。
【図１４】  他例における主刃ブロックの斜視図である。
【図１５】  同上の更に他例における主刃ブロックとトリマー刃の分解斜視図である。
【図１６】  同上の本体部分の分解斜視図である。
【図１７】  同上の要部断面図である。
【図１８】  さらに他例のトリマー刃の分解斜視図である。
【図１９】  同上の要部断面図である。
【図２０】  同上の肌伸ばし部材を上動させた状態の要部断面図である。
【図２１】  別の例のトリマー刃の分解斜視図である。
【図２２】  同上のネット刃における支持枠の斜視図である。
【図２３】  同上のトリマー刃を下げた状態での要部断面図である。
【図２４】  同上のトリマー刃を上げた状態での要部断面図である。
【図２５】  さらに別の例のトリマー刃の斜視図である。
【図２６】  同上のネット刃における支持枠の斜視図である。
【図２７】  (a)(b)は同上のトリマー刃の上下スライド動作を示す部分正面図である。
【図２８】  同上のトリマー刃の上下反転状態の部分正面図である。
【符号の説明】
１  ネット刃
３  トリマー刃
１１  外刃枠
１２  支持枠
【図１】
0003840832.tif 000002
【図２】
0003840832.tif 000003
【図３】
0003840832.tif 000004
【図４】
0003840832.tif 000005
【図５】
0003840832.tif 000006
【図６】
0003840832.tif 000007
【図７】
0003840832.tif 000008
【図８】
0003840832.tif 000009
【図９】
0003840832.tif 000010
【図１０】
0003840832.tif 000011
【図１１】
0003840832.tif 000012
【図１２】
0003840832.tif 000013
【図１３】
0003840832.tif 000014
【図１４】
0003840832.tif 000015
【図１５】
0003840832.tif 000016
【図１６】
0003840832.tif 000017
【図１７】
0003840832.tif 000018
【図１８】
0003840832.tif 000019
【図１９】
0003840832.tif 000020
【図２０】
0003840832.tif 000021
【図２１】
0003840832.tif 000022
【図２２】
0003840832.tif 000023
【図２３】
0003840832.tif 000024
【図２４】
0003840832.tif 000025
【図２５】
0003840832.tif 000026
【図２６】
0003840832.tif 000027
【図２７】
0003840832.tif 000028
【図２８】
0003840832.tif 000029